【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
放射線撮像装置で被写体を撮像して得られた画像データを画像処理する画像処理装置において、
前記画像データの画素値を代表する値を特性値として算出する特性値算出手段と、
前記撮像装置の撮像面に放射線が直接照射されている領域であるす抜け領域及び該す抜け領域と一定距離内で接している領域を該特性値に基づいて識別し、該識別した領域に基づいて前記被写体領域を前記画像データから抽出する被写体領域抽出手段とを備えることを特徴とする画像処理装置。
【請求項２】
前記特性値は画像データ中の最大値を示す画素値に基づいて定められることを特徴とする請求項１に記載の画像処理装置。
【請求項３】
前記被写体領域抽出手段は前記特性値以上の画素値を示す領域をす抜け領域として識別することを特徴とする請求項1又は２に記載の画像処理装置。
【請求項４】
前記被写体領域を限定する限定手段と、
前記限定手段で限定された領域内から特徴量を抽出する抽出手段と、
前記抽出手段で抽出された特徴量をパラメータとして階調変換曲線の曲線形を定め、該曲線形を定めた階調変換曲線で前記画像の階調変換を行う階調変換手段とを備えることを特徴とする請求項１〜３のいずれか１項に記載の画像処理装置。
【請求項５】
前記限定手段では、前記被写体領域を一定の比率又は一定の長さで区切り、区切った範囲を基準として前記被写体領域を限定することを特徴とする請求項４に記載の画像処理装置。
【請求項６】
前記限定手段では、前記肺野領域の最長垂直線を一定の比率で区切り、区切った範囲を基準として領域を限定することを特徴とする請求項４又は５に記載の画像処理装置。
【請求項７】
前記被写体領域から肺領域を抽出する肺領域抽出手段と、
該肺野領域を限定する限定手段と、
前記限定手段で限定された領域内から特徴量を抽出する抽出手段と、
前記抽出手段で抽出された特徴量をパラメータとして階調変換曲線の曲線形を定め、該曲線形を定めた階調変換曲線で前記画像の階調変換を行う階調変換手段とを備えることを特徴とする請求項１〜３のいずれか１項に記載の画像処理装置。
【請求項８】
前記限定手段では、前記肺野領域を一定の比率又は一定の長さで区切り、区切った範囲を基準として前記被写体領域を限定することを特徴とする請求項７に記載の画像処理装置。
【請求項９】
前記限定手段では、前記肺野領域の最長垂直線を一定の比率で区切り、区切った範囲を基準として領域を限定することを特徴とする請求項７又は８に記載の画像処理装置。
【請求項１０】
放射線撮像装置で被写体を撮像して得られた画像データを画像処理する画像処理装置において、
前記画像データから前記被写体領域を抽出する被写体領域抽出手段と、
前記被写体領域を限定する限定手段と、
前記限定手段で限定された領域内から特徴量を抽出する抽出手段と、
前記抽出手段で抽出された特徴量をパラメータとして階調変換曲線の曲線形を定め、該曲線形を定めた階調変換曲線で前記画像の階調変換を行う階調変換手段とを備えることを特徴とする画像処理装置。
【請求項１１】
前記放射線撮像装置は、放射線を発生する放射線発生手段と、被写体を透過した前記放射線を画像データとして取得するための２次元Ｘ線センサとで構成されることを特徴とする請求項１〜１０のいずれか１項に記載の画像処理装置。
【請求項１２】
複数の機器が互いに通信可能に接続されてなる画像処理システムであって、
前記複数の機器のうち少なくとも１つの機器は請求項１〜１１のいずれか１項に記載の画像処理装置の機能を有することを特徴とする画像処理システム。
【請求項１３】
放射線撮像装置で被写体を撮像して得られた画像データを画像処理する画像処理方法において、
前記画像データの画素値を代表する値を特性値として算出する特性値算出工程と、
該特性値に基づいて、前記撮像装置の撮像面に放射線が直接照射されている領域であるす抜け領域及び該す抜け領域と一定距離内で接している領域を前記画像データ中から識別し、前記画像データから前記被写体領域を抽出する被写体領域抽出工程とを有することを特徴とする画像処理方法。
【請求項１４】
放射線撮像装置で被写体を撮像して得られた画像データを画像処理するためにコンピュータを、
前記画像データの画素値を代表する値を特性値として算出する特性値算出手段と、
該特性値に基づいて、前記撮像装置の撮像面に放射線が直接照射されている領域であるす抜け領域及び該す抜け領域と一定距離内で接している領域を前記画像データ中から識別し、前記画像データから前記被写体領域を抽出する被写体領域抽出手段として機能させるためのコンピュータプログラムを記録したことを特徴とするコンピュータ読み取り可能な記憶媒体。
【請求項１５】
放射線撮像装置で被写体を撮像して得られた画像データを画像処理する画像処理方法において、
前記画像データから前記被写体領域を抽出する被写体領域抽出工程と、
前記被写体領域を限定する限定工程と、
前記限定手段で限定された領域内から特徴量を抽出する抽出工程と、
前記抽出手段で抽出された特徴量をパラメータとして階調変換曲線の曲線形を定め、該曲線形を定めた階調変換曲線で前記画像の階調変換を行う階調変換工程とを有することを特徴とする画像処理方法。
【請求項１６】
放射線撮像装置で被写体を撮像して得られた画像データを画像処理するためにコンピュータを、
前記画像データから前記被写体領域を抽出する被写体領域抽出手段と、
前記被写体領域を限定する限定手段と、
前記限定手段で限定された領域内から特徴量を抽出する抽出手段と、
前記抽出手段で抽出された特徴量をパラメータとして階調変換曲線の曲線形を定め、該曲線形を定めた階調変換曲線で前記画像の階調変換を行う階調変換手段として機能させるためのコンピュータプログラムを記録したことを特徴とするコンピュータ読み取り可能な記憶媒体。
【請求項１７】
前記特徴量は、前記限定された領域の画像データをソートして算出した値又は該領域内の最大値に基づく値であることを特徴とする請求項４〜１０のいずれか１項に記載の画像処理装置。
【手続補正２】
【補正対象書類名】明細書
【補正対象項目名】０００８
【補正方法】変更
【補正の内容】
【０００８】
【課題を解決するための手段】
本発明の画像処理装置は、放射線撮像装置で被写体を撮像して得られた画像データを画像処理する画像処理装置において、前記画像データの画素値を代表する値を特性値として算出する特性値算出手段と、前記撮像装置の撮像面に放射線が直接照射されている領域であるす抜け領域及び該す抜け領域と一定距離内で接している領域を該特性値に基づいて識別し、該識別した領域に基づいて前記被写体領域を前記画像データから抽出する被写体領域抽出手段とを備える点に特徴を有する。
本発明の他の画像処理装置は、放射線撮像装置で被写体を撮像して得られた画像データを画像処理する画像処理装置において、前記画像データから前記被写体領域を抽出する被写体領域抽出手段と、前記被写体領域を限定する限定手段と、前記限定手段で限定された領域内から特徴量を抽出する抽出手段と、前記抽出手段で抽出された特徴量をパラメータとして階調変換曲線の曲線形を定め、該曲線形を定めた階調変換曲線で前記画像の階調変換を行う階調変換手段とを備える点に特徴を有する。
本発明の画像処理システムは、複数の機器が互いに通信可能に接続されてなる画像処理システムであって、前記複数の機器のうち少なくとも１つの機器は本発明による画像処理装置の機能を有する点に特徴を有する。
本発明の画像処理方法は、放射線撮像装置で被写体を撮像して得られた画像データを画像処理する画像処理方法において、前記画像データの画素値を代表する値を特性値として算出する特性値算出工程と、該特性値に基づいて、前記撮像装置の撮像面に放射線が直接照射されている領域であるす抜け領域及び該す抜け領域と一定距離内で接している領域を前記画像データ中から識別し、前記画像データから前記被写体領域を抽出する被写体領域抽出工程とを有する点に特徴を有する。
本発明の他の画像処理方法は、放射線撮像装置で被写体を撮像して得られた画像データを画像処理する画像処理方法において、前記画像データから前記被写体領域を抽出する被写体領域抽出工程と、前記被写体領域を限定する限定工程と、前記限定手段で限定された領域内から特徴量を抽出する抽出工程と、前記抽出手段で抽出された特徴量をパラメータとして階調変換曲線の曲線形を定め、該曲線形を定めた階調変換曲線で前記画像の階調変換を行う階調変換工程とを有する点に特徴を有する。
本発明のコンピュータ読み取り可能な記憶媒体は、放射線撮像装置で被写体を撮像して得られた画像データを画像処理するためにコンピュータを、前記画像データの画素値を代表する値を特性値として算出する特性値算出手段と、該特性値に基づいて、前記撮像装置の撮像面に放射線が直接照射されている領域であるす抜け領域及び該す抜け領域と一定距離内で接している領域を前記画像データ中から識別し、前記画像データから前記被写体領域を抽出する被写体領域抽出手段として機能させるためのコンピュータプログラムを記録した点に特徴を有する。
本発明の他のコンピュータ読み取り可能な記憶媒体は、放射線撮像装置で被写体を撮像して得られた画像データを画像処理するためにコンピュータを、前記画像データから前記被写体領域を抽出する被写体領域抽出手段と、前記被写体領域を限定する限定手段と、前記限定手段で限定された領域内から特徴量を抽出する抽出手段と、前記抽出手段で抽出された特徴量をパラメータとして階調変換曲線の曲線形を定め、該曲線形を定めた階調変換曲線で前記画像の階調変換を行う階調変換手段として機能させるためのコンピュータプログラムを記録した点に特徴を有する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】